(57)【要約】【課題】清掃のために吸込口に装着されたフィルタを取り外す際の埃や塵の飛散を防止することができる送風装置を提供する。【解決手段】吸込口１８の縁部に当接した状態で着脱自在に装着されるフィルタ１９を備え、送風機２１の作動によって吸込口１８からフィルタ１９を通して吸い込んだ空気を外部に吹き出す送風装置において、フィルタ１９は、吸込口１８に装着された状態で吸込口１８に対する装着方向の端部が吸込口の縁部よりも外側に位置している。そのため、フィルタ１９を吸込口１８から取り外す際、衝撃によりフィルタ１９に付着していた埃等Ｄが飛散しても、取り外し動作の初期では吸込口１８に装着された状態で吸込口１８の縁部よりも外側に位置していたフィルタ１９の端部が吸込口を覆っているので、飛散した埃等Ｄはフィルタ１９に付着し、吸込口１８から内部へは吸い込まれない。【選択図】図６
2013078718.tif 000002
【特許請求の範囲】
【請求項１】
吸込口の縁部に当接した状態で着脱自在に装着されるフィルタを備え、送風機の作動によって前記吸込口から前記フィルタを通して吸い込んだ空気を外部に吹き出す送風装置において、
前記フィルタは、前記吸込口に装着された状態で前記吸込口に対する装着方向の端部が前記吸込口の縁部よりも外側に位置するよう構成してあることを特徴とする送風装置。
【請求項２】
吸込口の縁部に当接した状態で着脱自在に装着されるフィルタを備え、送風機の作動によって前記吸込口から前記フィルタを通して吸い込んだ空気を外部に吹き出す送風装置において、
前記フィルタは、前記吸込口に対する装着方向の端部に、前記吸込口から離れる向きに突出した突出部を前記装着方向と交差する方向に延設してあることを特徴とする送風装置。
【請求項３】
吸込口の縁部に当接した状態で着脱自在に装着されるフィルタを備え、送風機の作動によって前記吸込口から前記フィルタを通して吸い込んだ空気を外部に吹き出す送風装置において、
前記フィルタの前記吸込口への装着の有無を検出する検出手段と、該検出手段の検出結果に基づいて前記フィルタが前記吸込口に装着されていないことが検出されたときに前記送風機の作動を停止する制御部とを備えていることを特徴とする送風装置。
【発明の詳細な説明】
【技術分野】
【０００１】
本発明は、浄化空気、イオンなどを室内に供給する送風装置に関する。
【背景技術】
【０００２】
従来、送風ファンにより吸込口から吸い込んだ空気を粗塵除去用の防塵フィルタ、集塵フィルタ、脱臭フィルタ等に通して空気中の汚染物質を除去、低減した後、室内等に吹き出す空気清浄用の送風装置が公知である（例えば特許文献１参照）。かかる送風装置では、吸込口に装着された粗塵除去用の防塵フィルタに付着した埃や塵を取り除くためのメンテナンスをする際、防塵フィルタを吸込口から取り外す時の衝撃で防塵フィルタに付着した埃や塵が飛散し、一部の埃等は送風機内に吸い込まれてから室内等に吹き出されて再飛散する等の不都合が生じる。そこで、埃や塵の飛散や吸込みを防止するために防塵フィルタの取り外し時には運転を停止するようにユーザーにお願いをしている。
【先行技術文献】
【特許文献】
【０００３】
【特許文献１】特開２０１０−８０４２５号公報
【発明の概要】
【発明が解決しようとする課題】
【０００４】
しかし、フィルタ取り外し時の運転停止操作は使用者の意思に委ねられており、使用者が運転を継続したままでフィルタの取り外しを行った場合には、前述した埃や塵の飛散の問題が発生する。
【０００５】
本発明は、上述したような事情に鑑みてなされたものであり、清掃のために吸込口に装着されたフィルタを取り外す際の埃や塵の飛散を防止することができる送風装置を提供することを目的とする。
【課題を解決するための手段】
【０００６】
本発明に係る送風装置は、吸込口の縁部に当接した状態で着脱自在に装着されるフィルタを備え、送風機の作動によって前記吸込口から前記フィルタを通して吸い込んだ空気を外部に吹き出す送風装置において、前記フィルタは、前記吸込口に装着された状態で前記吸込口に対する装着方向の端部が前記吸込口の縁部よりも外側に位置するよう構成してあることを特徴とする。
【０００７】
本発明によれば、フィルタが吸込口の縁部に当接した状態で吸込口に装着され、送風機の作動によって吸込口からフィルタを通して吸い込まれた空気中の埃等がフィルタに付着して除去され、埃等が除去された清浄空気が外部に吹き出される。清掃のためにフィルタを吸込口の縁部に当接した状態で吸込口から取り外す際、衝撃によりフィルタに付着していた埃等が飛散しても、取り外し動作の初期では吸込口に装着された状態で吸込口の縁部よりも外側に位置していたフィルタの端部が吸込口を覆っているので、飛散した埃等はフィルタに付着し、吸込口から内部へは吸い込まれない。
【０００８】
本発明に係る送風装置は、吸込口の縁部に当接した状態で着脱自在に装着されるフィルタを備え、送風機の作動によって前記吸込口から前記フィルタを通して吸い込んだ空気を外部に吹き出す送風装置において、前記フィルタは、前記吸込口に対する装着方向の端部に、前記吸込口から離れる向きに突出した突出部を前記装着方向と交差する方向に延設してあることを特徴とする。
【０００９】
本発明によれば、フィルタが吸込口の縁部に当接した状態で吸込口に装着され、送風機の作動によって吸込口からフィルタを通して吸い込まれた空気中の埃等がフィルタに付着して除去され、埃等が除去された清浄空気が外部に吹き出される。清掃のためにフィルタを吸込口の縁部に当接した状態で吸込口から取り外す際、衝撃によりフィルタに付着していた埃等が飛散しても、フィルタの吸込口に対する装着方向の端部に吸込口から離れる側に突出するように設けた突出部が装着方向と交差する方向に延設されているので、飛散した埃等は該突出部によって吸込口から離れる側に移動させられ、吸込口から内部へは吸い込まれない。
【００１０】
本発明に係る送風装置は、吸込口の縁部に当接した状態で着脱自在に装着されるフィルタを備え、送風機の作動によって前記吸込口から前記フィルタを通して吸い込んだ空気を外部に吹き出す送風装置において、前記フィルタの前記吸込口への装着の有無を検出する検出手段と、該検出手段の検出結果に基づいて前記フィルタが前記吸込口に装着されていないことが検出されたときに前記送風機の作動を停止する制御部とを備えていることを特徴とする。
【００１１】
本発明によれば、フィルタが吸込口の縁部に当接した状態で吸込口に装着され、送風機の作動によって吸込口からフィルタを通して吸い込まれた空気中の埃等がフィルタに付着して除去され、埃等が除去された清浄空気が外部に吹き出される。清掃のためにフィルタを吸込口から取り外すと、フィルタが吸込口に装着されていないことが検出され、送風機の作動が自動的に停止される。その結果、フィルタの取り外し時の衝撃により埃等が飛散しても、吸込口から内部へは吸い込まれない。
【発明の効果】
【００１２】
本発明に係る送風装置によれば、吸込口に装着されたフィルタを吸込口から取り外す際、衝撃によりフィルタから飛散した埃等が吸込口から内部へは吸い込まれないので、吸込口に装着されるフィルタの取り外し時における埃や塵の飛散を防止することができる送風装置が提供される。
【図面の簡単な説明】
【００１３】
【図１】本発明に係る送風装置を搭載した空気清浄機の前側の外観斜視図である。
【図２】図１に示す空気清浄機の正面図である。
【図３】図１に示す空気清浄機の側面図である。
【図４】図１に示す空気清浄機の側面断面図である。
【図５】図１に示す空気清浄機の正面断面図である。
【図６】本発明に係る送風装置の実施の形態１の主要部を模式的に示す側面断面図である。
【図７】図６に示す送風装置の動作を模式的に説明する側面断面図である。
【図８】本発明に係る送風装置の実施の形態２の主要部を模式的に示す側面断面図である。
【図９】図８に示す送風装置の動作を模式的に説明する側面断面図である。
【図１０】本発明に係る送風装置の実施の形態３の主要部を模式的に示す側面断面図である。
【図１１】図１０に示す送風装置の制御構成を示す回路ブロック図である。
【図１２】図１０に示す送風装置の動作を模式的に説明する側面断面図である。
【発明を実施するための形態】
【００１４】
以下、本発明に係る送風装置の実施の形態を図面に基づいて説明する。図１は本発明に係る送風装置を搭載した空気清浄機の前側の外観斜視図、図２は図１に示す空気清浄機の正面図、図３は図１に示す空気清浄機の側面図、図４は図１に示す空気清浄機の側面断面図、図５は図１に示す空気清浄機の正面断面図である。
【００１５】
本発明に係る送風装置を搭載した空気清浄機は、矩形状の箱体を垂直に立てたような外形のハウジング１を備え、ハウジング１の内部は隔壁１１によって前後に仕切られている（図４）。隔壁１１は上側の略半分が後方に傾斜している。
【００１６】
隔壁１１の後側に、浄化用の各種フィルタを収納するフィルタ収納部１ａが形成されている。フィルタ収納部１ａは、ハウジング１の後面側に開口し、直方体状に窪んだ空間であり、フィルタ収納部１ａには、後側より順に、脱臭フィルタ７ａ及び集塵フィルタ７ｂが重ね合わされた状態で収納されている。
【００１７】
脱臭フィルタ７ａは、空気中の臭い成分であるアセトアルデヒドやアンモニアや酢酸等を吸着する機能を有し、長方形をなす枠体にポリエステル製の不織布を取り付け、その上に活性炭を均一に分散配置し、その上からポリエステル製の不織布を被せた構造である。
【００１８】
集塵フィルタ７ｂは、微細な塵埃を捕集する機能を有し、いわゆるＨＥＰＡ（Ｈｉｇｈ  Ｅｆｆｉｃｉｅｎｃｙ  Ｐａｒｔｉｃｕｌａｔｅ  Ａｉｒ）フィルタで構成してある。該ＨＥＰＡフィルタは、ポリエステル／ビニロン系不織布からなる骨材に電石加工したメルトブロー不織布を合わせて濾材とし、これを折り畳み、その上下面にハイドロキシアパタイト加工した不織布からなる抗菌シートを重ねて熱圧着し、ホットメルト付き不織布からなる枠を溶着した構造である。
【００１９】
フィルタ収納部１ａの開口を覆う着脱可能な後パネル２が備えられている。脱臭フィルタ７ａ及び集塵フィルタ７ｂは、後パネル２によってフィルタ収納部１ａからの脱落が防止される。後パネル２は概ね矩形の板状をなし、マトリックス状に複数の小孔からなる吸込口２ａが形成され、裏面にはメッシュ状の繊維シートが貼り付けてある。
【００２０】
集塵フィルタ７ｂの前側に、加湿フィルタユニット３及び水槽４が配されている。水槽４はハウジング１の底板上に載置され、水槽４に支持される加湿フィルタユニット３と共に、ハウジング１の一側部から外部に引き出すことが可能である。
【００２１】
加湿フィルタユニット３は、吸水性及び通気性を有し、ジグザグに折り畳まれた円盤状の吸水フィルタ３１及び吸水フィルタ３１を収納保持する円環状の保持枠３０からなる。吸水フィルタ３１は適宜の厚さを有するフィルタ素材を打ち抜いて作製される。保持枠３０は合成樹脂製である。
【００２２】
保持枠３０の外周面には、幅方向の中央部に全周に亘って歯が形成されたリングギア３２が設けてある。水槽４内の下部には、軸心が水槽４の幅方向に沿った２つの鼓形の支持ローラ６，６が水槽４の長手方向に振り分け配置されている。各支持ローラ６は、水槽４の幅方向の両側壁に回転自在に支持されている。
【００２３】
各支持ローラ６はリングギア３２の両側面に転接することにより、加湿フィルタユニット３の保持枠３０を下部から支えると共に、水槽４の幅方向の位置決めをする。加湿フィルタユニット３は下部を水槽４の内部に差し込み、垂直に立ち上がる姿勢で支持されている。
【００２４】
保持枠３０のリングギア３２は保持枠３０の上方に配した駆動ユニット５の駆動歯車５１に噛合されている。駆動ユニット５は駆動歯車５１の他に、駆動歯車５１と噛合する伝動歯車及び出力軸が伝動歯車に連結された駆動モータ（不図示）を備え、ハウジング１内の適宜位置に固定されている。
【００２５】
隔壁１１の前面側に風路カバー１２が取り付けられている。風路カバー１２は、下側の円筒部１２ａと、円筒部１２ａの外周部に下端が連なる扁平状の上側の角筒部１２ｂ（但し、隔壁１１側が開口している）とからなる。円筒部１２ａは、隔壁１１の下側部分と略平行な円形の底壁部１２ａ１と、底壁部１２ａ１の縁部全周と隔壁１１とを接続する側壁部１２ａ２とを有している。角筒部１２ｂは、隔壁１１の上側部分と略平行に対向した状態で後方に傾斜した壁部１２ｂ１と、該壁部１２ｂ１の縁部全周と隔壁１１とを接続する側壁部１２ｂ２とを有している。
【００２６】
加湿フィルタユニット３の前側に、隔壁１１を隔てて送風機８が配置され、隔壁１１の下部には送風機８に通じる複数の通気孔１１ａが形成されている。送風機８はファン８１及び該ファン８１を回転駆動するファンモータ８２を備え、風路カバー１２の底壁部１２ａ１にファンモータ８２が固定されている。ファン８１はターボファンであるが、その他、プロペラファンやクロスフローファンを採用してもよい。ファンモータ８２は駆動制御の容易性を重視して直流モータを用いている。
【００２７】
送風機８の上方側に位置し、隔壁１１と風路カバー１２の角筒部１２ｂとで囲まれた空間が吹出風路１３に形成されている。ハウジング１の上面は、後側部分が前側部分より低くなるように傾斜し、この傾斜した後側部分に、吹出風路１３に連通した上向き開口の吹出口１５が設けてある。吹出口１５には風向板１５ａが設けてある。風向板１５ａは吹き出し空気の方向を斜め後方側から上方側の所定範囲で変更することが可能である。
【００２８】
送風機８のファンモータ８２の駆動によりファン８１が回転し、後パネル２の吸込口２ａから外部の空気（室内の空気）が吸い込まれ、吸い込まれた空気は、脱臭フィルタ７ａ及び集塵フィルタ７ｂを通過する際の臭いや塵埃のない空気に浄化される。浄化された空気は、吸水フィルタ３１で加湿され、又は加湿をされずに、隔壁１１の通気孔１１ａからファン８１の中心部に吸い込まれる。ファン８１の中心部に吸い込まれた空気は、ファンブレード同士の間を通りファン８１の外周から吐き出され、吹出風路１３を流れて上方に導かれて吹出口１５から室内に吹き出される。
【００２９】
後方に傾斜した風路カバー１２の角筒部１２ｂの前側には、ハウジング１の前面に開口した吸込口１８から横断面視で略「くの字」状に湾曲して上向きに伸び、ハウジング１の前面上部に設けた吹出口１７に至る通風路２０が設けてある。通風路２０は、後壁２０ａと、前壁２０ｂと、後壁２０ａ及び前壁２０ｂの両側の縁部を結ぶ側壁２０ｃとで囲まれた空間である。
【００３０】
吹出口１７は正面視で横長の略長円又は楕円形状をなしている。吹出口１７は、横方向に間隔を置いて並置された複数の縦姿勢の風向板１７ａ及び横向きの風向板１７ｂを備えている。縦姿勢の風向板１７ａは横方向の両端部側に位置するほど板面が流出側に向かって横外方向に開いている。その結果、吹出口１７から前方に吹き出す空気の流れを横方向に広げることができる。横向きの風向板１７ｂは前方側に吹き出す空気の流れを略水平状態にするためのものである。
【００３１】
通風路２０の吹出口１７に近い箇所に、ファン２１ｃを取り付けた回転軸２１ｂが横向きに配置されたクロスフローファン２１が設けてある。回転軸２１ｂは通風路２０の両側の側壁２０ｃに回転自在に支持されている。クロスフローファン２１の駆動用のクロスフローファンモータ２１ａは通風路２０の外に設置され、クロスフローファンモータ２１ａの出力軸が回転軸２１ｂと同軸に配置されている。
【００３２】
吸込口１８は横方向が吹出口１７と同幅で縦方向の幅が吹出口１７より広く、正面視で下縁部の中央部が下側に凸状をなす矩形状の開口を有する。吸込口１８は上部がクロスフローファン２１の前側に位置し、下部がクロスフローファン２１より下側に位置し、前側に傾斜している。また吸込口１８は、後パネル２に設けた吸込口２ａに対して上側にある。具体的には、吸込口１８の上端部は最上部位置の吸込口２ａよりも高い位置にあり、吸込口１８の下端部は、最上部位置の吸込口２ａより低いがハウジング１の高さの略半分よりも上側の位置にあり、最下部位置の吸込口２ａよりは高い位置にある。
【００３３】
吸込口１８には防塵フィルタ１９が縦姿勢に装着され、防塵フィルタ１９はクロスフローファン２１と接触しないように上部が下部に対して前側に傾斜している。なお、防塵フィルタ１９の吸込口１８への装着構造については後述する。
【００３４】
吸込口１８及び防塵フィルタ１９の前方側を覆うように、前パネル２３がハウジング１に固定されて垂下されている。前パネル２３は吸込口１８の形状に合わせて正面視で下縁部の中央部が下側に凸状をなし、又、中央部が前側に突き出るように左右方向に湾曲している。
【００３５】
通風路２０のクロスフローファン２１と吹出口１７との間の壁面に、正負のイオンを発生させるイオン発生器２２が配設されている。イオン発生器２２には、針状の放電電極（不図示）が風路内に露出するように設けられ、放電電極に給電部（不図示）から交流波形またはインパルス波形の電圧を供給することによって放電電極がイオンを発生する。
【００３６】
クロスフローファン２１のクロスフローファンモータ２１ａ及びイオン発生器２２が駆動されると、クロスフローファン２１によって吹出口１７から吸い込まれた空気に、イオン発生器２２により発生したイオンが付加され、イオンを含む空気が吹出口１７より前方側に吹き出される。
【００３７】
放電電極の印加電圧が正電圧の場合はイオンが空気中の水分と結合して主としてＨ+ （Ｈ2 Ｏ）m から成るプラスイオンを発生する。放電電極の印加電圧が負電圧の場合はイオンが空気中の水分と結合して主としてＯ2-（Ｈ2 Ｏ）n から成るマイナスイオンを発生する。ここで、ｍ、ｎは任意の自然数である。Ｈ+ （Ｈ2 Ｏ）m 及びＯ2-（Ｈ2 Ｏ）n は空気中の浮遊菌や臭い成分の表面で凝集してこれらを取り囲む。
【００３８】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。従って、プラスイオン及びマイナスイオンを発生して吹出口から吐出することにより使用者の近傍の殺菌及び臭い除去を行うことができる。
Ｈ+ (Ｈ2 Ｏ)m ＋Ｏ2-(Ｈ2 Ｏ)n →・ＯＨ＋１／２Ｏ2 ＋(ｍ＋ｎ)Ｈ2 Ｏ  ・・・（１）
Ｈ+ (Ｈ2 Ｏ)m ＋Ｈ+ (Ｈ2 Ｏ)m ’＋Ｏ2-(Ｈ2 Ｏ)n ＋Ｏ2-(Ｈ2 Ｏ)n ’
→ ２・ＯＨ＋Ｏ2 ＋(ｍ＋ｍ'＋ｎ＋ｎ')Ｈ2 Ｏ・・・（２）
Ｈ+ (Ｈ2 Ｏ)m ＋Ｈ+ (Ｈ2 Ｏ)m ’＋Ｏ2-(Ｈ2 Ｏ)n ＋Ｏ2-(Ｈ2 Ｏ)n ’
→Ｈ2Ｏ2＋Ｏ2 ＋(ｍ＋ｍ'＋ｎ＋ｎ')Ｈ2 Ｏ・・・（３）
【００３９】
尚、本実施形態ではイオン発生器２２によってプラスイオン及びマイナスイオンを発生しているが、マイナスイオンのみを発生してもよい。
【００４０】
ハウジング１は、風路カバー１２の前側を覆う前カバー１６を前面下部に備えている。前カバー１６は上部に上部側ほど後方に緩やかに傾斜した上傾斜面１６ａを有する。前カバー１６は下端部に横方向に伸びる凹溝部１６ｃを有し、凹溝部１６ｃの底部は開口している。凹溝部１６ｃの上側斜面が下部側ほど後方に急傾斜した下傾斜面１６ｂを形成している。
【００４１】
ハウジング１の底面には、ロック機構付きの複数の車輪９が取り付けてある。これにより、車輪９のロック機構を解除して空気清浄機を室内の適所に移動させた後、ロック機構を作動させて空気清浄機を床上で移動しない状態で設置することができる。
【００４２】
次に以上の如き構成の空気清浄機による空気の流れについて説明する。空気清浄機は壁Ｗ際の床面Ｆに設置してある。上面の吹出口１５から斜め後方上向きに吹き出された清浄空気は背側の壁Ｗ、天井及び向かい側の壁（不図示）を経て室内を循環した後、空気清浄機の前面側に戻り、前カバー１６に当たる。前カバー１６の上側部分に当たった空気は上傾斜面１６ａに沿って流れ、前パネル２３と上傾斜面１６ａとの間隙を通ってイオン用の吸込口１８に吸引される。吸込口１８に吸引された空気は防塵フィルタ１９にて埃が除去され、通風路２０を流れるときにイオンを付加され、吹出口１７から前方側に吹き出される。尚、吹出口１７から前方側に吹き出された空気も循環して空気清浄機の前面側に戻る。
【００４３】
一方、前カバー１６の下側部分に当たった空気は凹溝部１６ｃに入って下傾斜面１６ｂに沿って流れ、さらに底面と床面Ｆとの間を流れて背面側に達し、吸込口２ａに吸引される。吸込口２ａに吸引された空気は脱臭フィルタ７ａ、集塵フィルタ７ｂ及び加湿フィルタユニット３を通過して浄化及び加湿され（又は加湿されず）、上面の吹出口１５から吹き出される。以下、このような空気の循環を繰り返す。
【００４４】
次に、防塵フィルタ１９の吸込口１８への装着構造の実施の形態について説明する。
（実施の形態１）
図６は本発明に係る送風装置の実施の形態１の主要部を模式的に示す側面断面図、図７は同送風装置の動作を模式的に説明する側面断面図である。
【００４５】
防塵フィルタ１９は、メッシュ部１９ａと周囲の枠部１９ｂとで構成される。防塵フィルタ１９は、枠部１９ｂが吸込口１８の縁部に当接した状態で図示しない案内枠で両側を案内され、下側から上方にスライドして装着される。装着方向の先端側の枠部１９ｂが通風路２０の前壁２０ｂに設けたストッパー２５に当たることによって装着位置が決められる。吸込口１８に装着された状態では、装着方向におけるメッシュ部１９ａの端部が吸込口１８の縁部より外側（上側）に位置している。
【００４６】
装着された防塵フィルタ１９を吸込口１８から取り外す場合は、枠部１９ｂが吸込口１８の縁部に当接した状態で下方にスライドさせて吸込口１８から取り外される。この際に、衝撃によりメッシュ部１９ａに付着した一部の埃等Ｄが飛散するが、取り外し操作の初期では吸込口１８の上側部分は、装着状態で吸込口１８の縁部より外側（上側）に位置していたメッシュ部１９ａで覆われるので、吸込口１８から内部側への空気の吸引により、飛散した埃等Ｄは埃等Ｄが付着していないメッシュ部１９ａに付着し、通風路２０の内部へは吸い込まれない。
【００４７】
（実施の形態２）
図８は本発明に係る送風装置の実施の形態２の主要部を模式的に示す側面断面図、図９は同送風装置の動作を模式的に説明する側面断面図である。
【００４８】
実施の形態２では、メッシュ部１９ａの端部を吸込口１８の縁部より外側（上側）に位置させる代わりに、吸込口１８に対する装着方向の端部に、吸込口１８から離れる向きに突出した突出部１９ｃを装着方向と交差する方向に延設するように枠部１９ｂに設けてある点が実施の形態１と異なる。
【００４９】
装着された防塵フィルタ１９を吸込口１８から取り外す際に、衝撃によりメッシュ部１９ａに付着した一部の埃等Ｄが飛散するが、飛散した埃等Ｄは突出部１９ｃによって強制的に下側に移動させられるので、吸込口１８から通風路２０の内部へは吸い込まれない。
【００５０】
（実施の形態３）
図１０は本発明に係る送風装置の実施の形態３の主要部を模式的に示す側面断面図、図１１は同送風装置の制御構成を示す回路ブロック図、図１２は同送風装置の動作を模式的に説明する側面断面図である。
【００５１】
実施の形態３では、防塵フィルタ１９の吸込口１８への装着の有無を検出するフィルタスイッチ２６を通風路２０の前壁２０ｂに設け、フィルタスイッチ２６の検出情報は制御部２７に入力されている。制御部２７からはクロスフローファン２１のクロスフローファンモータ２１ａに対する駆動信号が出力されている。フィルタスイッチ２６は防塵フィルタ１９の枠部１９ｂに当接するマイクロスイッチ等で構成される。
【００５２】
装着された防塵フィルタ１９を吸込口１８から取り外す際に、衝撃によりメッシュ部１９ａに付着した一部の埃等Ｄが飛散するが、防塵フィルタ１９を取り外したことがフィルタスイッチ２６で検出されると、制御部２７はクロスフローファン２１のクロスフローファンモータ２１ａの作動を停止させるので、吸込口１８から内部側への空気が吸引されなくなり、飛散した埃等Ｄは吸込口１８から通風路２０の内部へは吸い込まれない。
【００５３】
本発明において、発生させるイオンは帯電微粒子水も含むものとする。この時、イオン発生器は静電霧化装置から成り、静電霧化装置によってラジカル成分を含む帯電微粒子水が生成される。即ち、静電霧化装置に設けた放電電極をペルチェ素子により冷却することで放電電極の表面に結露水が生じる。次に、放電電極にマイナスの高電圧を印加すると、結露水から帯電微粒子水が生成される。また、放電電極からは帯電微粒子水とともに空気中に放出されるマイナスイオンも発生する。
【００５４】
上記の実施の形態１−３の送風装置では、通風路２０に防塵フィルタ１９のみを配したが、浄化能力を高めるために、脱臭フィルタ７ａ及び集塵フィルタ７ｂと同様の脱臭フィルタ及び集塵フィルタを配置してもよい。
【００５５】
上記の実施の形態１−３では、前パネル２３がハウジング１に固定されているが、例えば、前パネル２３がハウジング１に対して上側に摺動可能又は上部側を支点とした前側に揺動可能に構成にすることにより、着脱操作時に防塵フィルタ１９の状態を確認し易いようにすることも可能である。
【００５６】
本発明に係る送風装置は、上記の３つの実施の形態１−３のうちの何れか２つの実施の形態を備えた送風装置、又は、実施の形態１−３の全てを備えた送風装置でもよい。
【００５７】
なお、今回開示した実施の形態は、全ての点で例示であって、制限的なものではないと考えられるべきである。本発明の範囲は、特許請求の範囲内での全ての変更及び特許請求の範囲と均等の範囲が含まれることが意図される。
【符号の説明】
【００５８】
１８      吸込口
１９      防塵フィルタ（フィルタ）
１９ｃ    突出部
２１      クロスフローファン（送風機）
２６      フィルタスイッチ（検出手段）
２７      制御部
【図１】
2013078718.tif 000003
【図２】
2013078718.tif 000004
【図３】
2013078718.tif 000005
【図４】
2013078718.tif 000006
【図５】
2013078718.tif 000007
【図６】
2013078718.tif 000008
【図７】
2013078718.tif 000009
【図８】
2013078718.tif 000010
【図９】
2013078718.tif 000011
【図１０】
2013078718.tif 000012
【図１１】
2013078718.tif 000013
【図１２】
2013078718.tif 000014